(57)【要約】      （修正有）【課題】外観性がよく、携帯電話機が安全に収納することができるポケットを備える鞄を提供する。【解決手段】ケース本体１１に、キャリーバー１６と共にポケットを設ける。ポケットは、ケース本体１１に一体形成した凹部２１と、開閉リッド３０とを主要素とする。開閉リッド３０は硬質材で構成し、閉時には、ケース本体１１と面一になる。単３電池式充電器４１と携帯電話機４０をコード４３で繋いだ状態で、凹部２１に収納することができる。収納後に開閉リッド３０を閉じる。例えば、空港ロビーでの待ち時間の間、携帯電話機４０を手軽に充電することができる。開閉リッド３０が丈夫であるため、携帯電話機４０が保護される。開閉リッド３０は、閉時には、ケース本体１１と面一になるため、鞄１０の外観性が良好となる。【選択図】図５
0003200564.tif 000002
【実用新案登録請求の範囲】
【請求項１】
金属又は樹脂製のケース本体と、このケース本体にヒンジを介して開閉可能に取付けられている金属又は樹脂製の蓋体と、前記ケース本体の底と前記蓋体の底の少なくとも一方に取付けられているキャスターと、を備える鞄において、
前記ケース本体に、前記キャスターを用いて前記鞄を移動する際に引き出して使用するキャリーバーが設けられ、
このキャリーバーは、前記ケース本体内を移動する一対のスライドバーと、これらのスライドバーの先端同士を結ぶ取っ手とからなり、
前記ケース本体には、前記一対のスライドバーで挟まれる部位に、凹部が一体形成されており、この凹部が前記ケース本体を構成する材料と同等の材料からなる開閉リッドで閉じられ、閉状態で開閉リッドの外面と前記ケース本体の一般面が面一になるようにし、
前記凹部と前記開閉リッドで構成するポケットに、携帯電話機又は同等の大きさの小物が収納することができるようにしたことを特徴とする鞄。
【考案の詳細な説明】
【技術分野】
【０００１】
本考案は、ビジネスや旅行等で持ち運ぶ鞄に関し、特に、携帯電話機の収納を考慮した鞄に関するものである。
【背景技術】
【０００２】
長期の旅行には、多数の衣類や生活用品を運ぶための大型の鞄が必要になる。大型の鞄は、一般に、ケース本体と、このケース本体にヒンジ止めされた蓋体とで構成される。例えば航空機の荷室で段積みされるため、段積みに耐えるように、鞄は丈夫な構造とされる。
【０００３】
チケットなどの小物の出し入れのために、鞄を開閉することは面倒であるため、小物専用のポケットを鞄の外面に設けることが提案されている（例えば、特許文献１（図１）参照）。
【０００４】
特許文献１を次図に基づいて説明する。
図７は従来の鞄の斜視図であり、鞄１００は、ケース本体１０１と、このケース本体１０１にヒンジ止めされた蓋体１０２とからなり、蓋体１０２に３個のポケット１０３が取付けられている。各ポケット１０３にはファスナー１０４が備えられており、このファスナー１０４を開閉することで、ポケット１０３に小物を出し入れすることができる。
【０００５】
ケース本体１０１及び蓋体１０２は、金属又は硬質樹脂からなるが、ポケット１０３は布（織物材料）又は軟質樹脂からなる。
ポケット１０３が軟質材料で構成されていれば、小物の形状や収納量に応じてポケット１０３がある程度変形するため、便利である。
【０００６】
反面、ポケット１０３が膨らんでいるため、外観性が低下する。
また、近年、小物に携帯電話機が含まれるようになってきた。携帯電話機には、いわゆるスマートフォーンと呼ばれる電話機を含む。携帯電話機は、電子機器であるため、外力に弱い。段積みはもとより、鞄１００が倒れて、ポケット１０３が下になり、床で潰されることが想定される。この想定からは、弾性変形するポケット１０３に、携帯電話機を収納することは好ましくない。
【０００７】
しかし、携帯電話機の取得率が向上した今日、携帯電話機の収納を考慮したポケットの構造が望まれる。
【先行技術文献】
【特許文献】
【０００８】
【特許文献１】特許第４３９０７１４号公報
【考案の概要】
【考案が解決しようとする課題】
【０００９】
本考案は、外観性が良く、且つ携帯電話機が安全に収納することができるポケットを備える鞄を提供することを課題とする。
【課題を解決するための手段】
【００１０】
請求項１に係る考案は、金属又は樹脂製のケース本体と、このケース本体にヒンジを介して開閉可能に取付けられている金属又は樹脂製の蓋体と、前記ケース本体の底と前記蓋体の底の少なくとも一方に取付けられているキャスターと、を備える鞄において、
前記ケース本体に、前記キャスターを用いて前記鞄を移動する際に引き出して使用するキャリーバーが設けられ、
このキャリーバーは、前記ケース本体内を移動する一対のスライドバーと、これらのスライドバーの先端同士を結ぶ取っ手とからなり、
前記ケース本体には、前記一対のスライドバーで挟まれる部位に、凹部が一体形成されており、この凹部が前記ケース本体を構成する材料と同等の材料からなる開閉リッドで閉じられ、閉状態で開閉リッドの外面と前記ケース本体の一般面が面一になるようにし、
前記凹部と前記開閉リッドで構成するポケットに、携帯電話機又は同等の大きさの小物が収納することができるようにしたことを特徴とする。
【考案の効果】
【００１１】
請求項１に係る考案では、開閉リッドの外面とケース本体の一般面が面一になるため、外観性が良好となる。また、ポケットは、丈夫なケース本体側の凹部と丈夫な開閉リッドで構成され、且つ開閉リッドの外面とケース本体の一般面が面一になるため、ポケットが潰れる心配はなく、収納物（携帯電話機などの小物）が良好に保護される。
【００１２】
ところで、ポケットをケース本体に内蔵しようとすると、鞄の内容積が減少することが懸念される。
本考案では、鞄に付属するキャリーバーに着目し、このキャリーバーを構成する一対のスライドバー間のデッドスペースに、ポケットを配置することとし、鞄の内容積に影響しないようにした。
結果、本考案によれば、内容積を確保しつつ、外観性が良く、且つ携帯電話機などが安全に収納することができるポケットを備える鞄を提供することができる。
【図面の簡単な説明】
【００１３】
【図１】本考案に係る鞄の側面図である。
【図２】図１の２矢視図である。
【図３】図２の３−３線断面図である。
【図４】ポケットの分解斜視図である。
【図５】小物の収納を説明する斜視図である。
【図６】作用説明図である。
【図７】従来の鞄の斜視図である。
【考案を実施するための形態】
【００１４】
本考案の実施の形態を添付図に基づいて以下に説明する。なお、図面は符号の向きに見るものとする。
【実施例】
【００１５】
図１に示すように、鞄１０は、金属又は樹脂製のケース本体１１と、このケース本体１１にヒンジ１２を介して開閉可能に取付けられている金属又は樹脂製の蓋体１３と、ケース本体１１の底１１ａと蓋体１３の底１３ａの少なくとも一方に取付けられているキャスター１４と、を備えるスーツケースである。
【００１６】
ケース本体１１及び蓋体１３を構成する金属は、アルミニウム合金、マグネシウム合金などの軽量金属が好適であるが、ステンレス鋼であってもよく、種類は任意である。
ケース本体１１及び蓋体１３を構成する樹脂は、硬質樹脂であれば、種類は問わない。
【００１７】
図２に示すように、ケース本体１１に、キャスター１４を用いて鞄１０を移動する際に引き出して使用するキャリーバー１６が設けられている。
このキャリーバー１６は、ケース本体１１内を移動する一対のスライドバー１７、１７と、これらのスライドバー１７、１７の先端（図では上端）同士を結ぶ取っ手１８とからなる。この取っ手１８にロック解除スイッチ１９が設けられている。
さらに、ケース本体１１に、矩形（長方形）の開閉リッド３０を含むポケット２０が取付けられている。
【００１８】
図３に示すように、ケース本体１１には、一対のスライドバー１７、１７の間の部位にて、凹部２１及びこの凹部２１を囲う段部２２が一体形成されている。ケース本体１１が金属製の場合は、金属板をプレス成形することで、凹部２１及び段部２２を一体形成することができる。また、ケース本体１１が樹脂の場合は、樹脂成形のときに凹部２１及び段部２２を同時成形することができる。
よって、凹部２１及び段部２２を形成するためのコスト増加はゼロ又は僅かである。
【００１９】
凹部２１の深さＤは、２０〜４０ｍｍの範囲に留める。この深さＤであれば、一対のスライドバー１７、１７の間に凹部２１を収めることができる。
一対のスライドバー１７、１７の間は、デッドスペースになりやすい。このスペースを利用して、凹部２１を収め、スペースの有効活用を図る。
この凹部２１を、開閉リッド３０で塞ぐことにより、ポケット２０の小物収納空間を形成する。
【００２０】
開閉リッド３０を、直接的にケース本体１１に取付けることは差し支えないが、本実施例では、矩形枠２４を介在させた。
図４に示すように、矩形枠２４は、４辺の外縁に開閉リッド３０側へ折り返された起立壁２５を有し、下辺に、４個のピン受け部２６を一体的に有し、上辺中央にロック片収納凹部２７を一体的に有し、左辺及び右辺に、ビス穴２８を有する。
【００２１】
起立壁２５の立ち上がり方向の寸法（底から頂部までの距離）は、開閉リッド３０の厚さに対応させる。起立壁２５を設けることにより、矩形枠２４の剛性を高めることができる。
矩形枠２４は金属のプレス品が望ましいが、樹脂の成形品であっても良い。
矩形枠２４は、ケース本体１１の段部２２に当て、ビス２９で固定される。
【００２２】
開閉リッド３０は、金属の矩形板又は樹脂の矩形板であり、ケース本体１１と同色の金属又は樹脂で構成することが望まれる。
開閉リッド３０は、下縁にピン３１、３１を通す筒部３２、３２が一体的に形成され、上部に弾性変形可能のロック爪３３及び指掛け片３４が一体形成されている。指掛け片３４は、開閉リッド３０の外面３０ａから突出しないようにする。
筒部３２をピン受け部２６、２６間に収め、ピン３１を挿入することで、ヒンジ構造が完成する。
【００２３】
図５に示すように、開閉リッド３０を開くと、凹部２１が見える。この凹部２１の深さは２０〜４０ｍｍであったが、横寸法は約９０ｍｍ、縦寸法は約１７０ｍｍである。
スマートフォーンと呼ばれる携帯電話機４０は、例えば、横寸法が７０ｍｍ、縦寸法が１３０ｍｍ、厚さが９ｍｍであり、上下に４０ｍｍ程度の余裕をもって凹部２１に収納することができる。
【００２４】
携帯電話機４０に内蔵する二次電池へ充電する方法は、各種実用化されてきた。
第１の方法は、専用変圧器を使用する。専用変圧器を交流商用電源（ＡＣ１００Ｖ等）に接続し、この専用変圧器からコードを延ばし、このコードの先を携帯電話機４０に接続する。
【００２５】
第２の方法は、いわゆるモバイルバッテリーを使用する。モバイルバッテリーは、リチウムイオン二次電池であり、予め充電したものを、コードを介して携帯電話機４０に接続して、給電する。モバイルバッテリーは携帯電話機４０より、一回り小さな板状バッテリであるため、携帯電話機４０と共に凹部２１に収納することができる。
【００２６】
第３の方法は、図５に示すような単３電池式充電器４１を使用する。単３電池４２、４２は市販のアルカリ乾電池（一次電池）又は、市販のＮｉ−Ｃｄ電池（二次電池）を用いる。Ｎｉ−Ｃｄ電池（二次電池）の場合は、予め専用の充電器で充電されているものを使用する。
単３電池４２が１４ｍｍ径で長さが５０ｍｍであるため、２本入りの単３電池式充電器４１の大きさは、２０ｍｍ×３０ｍｍ×６０ｍｍ程度である。
【００２７】
単３電池式充電器４１と携帯電話機４０をコード４３で繋いだ状態で、凹部２１に収納することができる。収納後に開閉リッド３０を閉じる。
例えば、空港ロビーでの待ち時間の間、携帯電話機４０を手軽に充電することができる。
【００２８】
上記第１の方法でも差し支えないが、コードが鞄１０から外へ延びるため、外観性が低下する。
この点、上記第２・３の方法であれば、コード４３はポケット２０に収まるため、外観性が高まる。よって、第２・３の方法が推奨される。
第２・３の方法では、単３電池４２が安価であるため、第３の方法がより好ましい。
【００２９】
図６に示すように、何らかの理由により、ケース本体１１側が床４５に当たることがある。
図３に示すように、開閉リッド３０の外面３０ａは、ケース本体１１の一般面１１ｂと面一（つらいち）であるため、ポケット２０が潰れたり、変形することはなく、携帯電話機４０などが良好に保護される。
【００３０】
尚、図２において、開閉リッド３０は、ケース本体１１と同色にする他、異色にして開閉リッド３０の存在を強調するようにしてもよい。また、開閉リッド３０の一部又は全部を半透明樹脂とし、小物が収納されているか否かが認識できるようにしてもよい。さらには、透明樹脂として、小物が全て見えるようにしてもよい。
【００３１】
さらには、実施例では、開閉リッド３０はケース本体１１にヒンジ止めしたが、ヒンジ止めを省いても良い。開閉リッド３０の４辺にロック爪（図４、符号３３）を設けることでヒンジ止めを省くことができる。ロック爪（図４、符号３３）は、上下又は左右の２個で係止は可能である。ただし、開閉リッド３０の紛失を考慮すると、ヒンジ止めが勝る。
【００３２】
実施例では、ポケット２０に収納する小物として、携帯電話機４０及び単３電池式充電器４１としたが、その他の旅行用品（旅行グッズ）を収納することもできる。よって、小物の種類は任意である。
【産業上の利用可能性】
【００３３】
本考案の鞄は、ビジネスや旅行に使用する鞄に好適である。
【符号の説明】
【００３４】
１０…鞄
１１…ケース本体
１２…ヒンジ
１３…蓋体
１４…キャスター
１６…キャリーバー
１７…スライドバー
１８…取っ手
２０…ポケット
２１…凹部
３０…開閉リッド
４０…小物（携帯電話機）
４１…小物（単３電池式充電器）
【図１】
0003200564.tif 000003
【図２】
0003200564.tif 000004
【図３】
0003200564.tif 000005
【図４】
0003200564.tif 000006
【図５】
0003200564.tif 000007
【図６】
0003200564.tif 000008
【図７】
0003200564.tif 000009